(57)【要約】【課題】画像形成装置の移動時に主電源スイッチをオフ作動するように作業者に知らしめる画像形成装置を提供する。【解決手段】トナー画像を用紙に転写及び定着する画像形成装置(1)であって、装置の筐体をなす装置本体(2)と、装置に対する主電源スイッチ(30)と、装置本体から引き出し可能に構成されており、装置を作業者によって持ち上げ可能に構成される取手部材(24)と、装置を持ち上げる場合には、主電源スイッチをオフ作動する旨を作業者に了知させる電源オフ了知手段とを具備する。【選択図】図６
2009058668.tif 000002
【特許請求の範囲】
【請求項１】
トナー画像を用紙に転写及び定着する画像形成装置であって、
該装置の筐体をなす装置本体と、
前記装置に対する主電源スイッチと、
前記装置本体から引き出し可能に構成されており、前記装置を作業者によって持ち上げ可能に構成される取手部材と、
前記装置を持ち上げる場合には、前記主電源スイッチをオフ作動する旨を前記作業者に了知させる電源オフ了知手段と
を具備することを特徴とする画像形成装置。
【請求項２】
請求項１に記載の画像形成装置であって、
前記電源オフ了知手段は、前記主電源スイッチを前記取手部材の近傍に配置することにより、該主電源スイッチのオフ作動を前記作業者に了知させることを特徴とする画像形成装置。
【請求項３】
請求項１に記載の画像形成装置であって、
前記電源オフ了知手段は、前記取手部材を前記装置本体から引き出すと、アラームが鳴動することにより、前記主電源スイッチのオフ作動を前記作業者に了知させることを特徴とする画像形成装置。
【請求項４】
請求項１に記載の画像形成装置であって、
前記電源オフ了知手段は、前記主電源スイッチのオン作動時には、前記取手部材を前記装置本体から引き出せないことにより、前記主電源スイッチのオフ作動を前記作業者に了知させることを特徴とする画像形成装置。
【請求項５】
請求項１に記載の画像形成装置であって、
前記電源オフ了知手段は、前記取手部材を前記装置本体から引き出すと、前記主電源スイッチがオン作動からオフ作動することにより、前記主電源スイッチのオフ作動を前記作業者に了知させることを特徴とする画像形成装置。
【発明の詳細な説明】
【技術分野】
【０００１】
本発明は、複写機やプリンタ等に用いられる大型の画像形成装置に関するものである。
【背景技術】
【０００２】
この種の画像形成装置の所定位置には主電源スイッチが備えられており、このスイッチのオン作動によって内部のユニットに電力が供給される（例えば、特許文献１，２参照）。そして、電子写真プロセスを用いる画像形成装置では、感光体ドラムを予め帯電し、このドラムの表面にレーザ光を照射して静電潜像を形成する。そして、現像されたトナー画像を用紙に転写及び定着している。
【０００３】
また、この種の画像形成装置では、例えばサービスメンテナンス時に持ち上げて移動させる場合がある。そこで、この移動させる場合に可動部材の位置を変更する（例えば、特許文献３参照）、或いは、特に大型の画像形成装置には、取手部材が装置本体から外部に向けて引き出し可能に構成されているので、この取手部材を複数の作業者で持ち上げる技術が知られている。
【０００４】
【特許文献１】特開２０００−２７５９２３号公報
【特許文献２】特開平１１−２２０５５９号公報
【特許文献３】特開昭６２−７５６６２号公報
【発明の開示】
【発明が解決しようとする課題】
【０００５】
ところで、上述した画像形成装置のサービスメンテナンス時には、主電源スイッチを予めオフ作動させる必要がある。当該スイッチがオン作動されたままの状態で内部のユニットの抜き取り等を行うと、ユニットにダメージを与えるからである。
よって、当該ユニットの抜き取り等を行う前の段階、すなわち、この装置を持ち上げて移動する段階では、主電源スイッチを既にオフ作動させておくことが望ましい。
【０００６】
しかしながら、仮に、上述した従来の技術を組み合わせてみても、当該装置を持ち上げて移動する段階で主電源スイッチをオフ作動させる点については意図されておらず、これでは、上記ユニットの故障を招き得るとの問題がある。
そこで、本発明の目的は、上記課題を解消し、画像形成装置の移動時に主電源スイッチをオフ作動するように作業者に知らしめる画像形成装置を提供することである。
【課題を解決するための手段】
【０００７】
上記目的を達成するための第１の発明は、トナー画像を用紙に転写及び定着する画像形成装置であって、装置の筐体をなす装置本体と、装置に対する主電源スイッチと、装置本体から引き出し可能に構成されており、装置を作業者によって持ち上げ可能に構成される取手部材と、装置を持ち上げる場合には、主電源スイッチをオフ作動する旨を作業者に了知させる電源オフ了知手段とを具備する。
【０００８】
第１の発明によれば、電源オフ了知手段を備えており、装置を持ち上げる場合には、主電源スイッチをオフ作動する旨を作業者に了知させるので、仮に、サービスメンテナンス時に装置を持ち上げて移動させる場合にも、その作業者に持ち上げ時点での主電源スイッチのオフ作動が徹底可能になる。この結果、主電源スイッチがオン作動されたままの状態で画像形成、転写や定着等の各ユニットを抜き取ってしまうことが防止され、これら各ユニットの保護に寄与するし、メンテナンスもより安全に実施可能になる。
【０００９】
第２の発明は、第１の発明の構成において、電源オフ了知手段は、主電源スイッチを取手部材の近傍に配置することにより、主電源スイッチのオフ作動を作業者に了知させることを特徴とする。
第２の発明によれば、第１の発明の作用に加えてさらに、主電源スイッチを取手部材の近傍に配置すれば、装置を持ち上げる場合に、この主電源スイッチのオフ作動を作業者に了知可能になる。
【００１０】
第３の発明は、第１の発明の構成において、電源オフ了知手段は、取手部材を装置本体から引き出すと、アラームが鳴動することにより、主電源スイッチのオフ作動を作業者に了知させることを特徴とする。
第３の発明によれば、第１の発明の作用に加えてさらに、取手部材を装置本体から引き出すに伴って、アラームが鳴動する構成によれば、装置を持ち上げる場合に、この主電源スイッチのオフ作動を作業者に直接的に了知させることができる。
【００１１】
第４の発明は、第１の発明の構成において、電源オフ了知手段は、主電源スイッチのオン作動時には、取手部材を装置本体から引き出せないことにより、主電源スイッチのオフ作動を作業者に了知させることを特徴とする。
第４の発明によれば、第１の発明の作用に加えてさらに、主電源スイッチのオン作動時には、取手部材を装置本体から引き出せない構成によれば、装置を持ち上げる場合に、この主電源スイッチのオフ作動を作業者に直接的に了知させることができる。
【００１２】
第５の発明は、第１の発明の構成において、電源オフ了知手段は、取手部材を装置本体から引き出すと、主電源スイッチがオン作動からオフ作動することにより、主電源スイッチのオフ作動を作業者に了知させることを特徴とする。
第５の発明によれば、第１の発明の作用に加えてさらに、取手部材を装置本体から引き出すに伴って、主電源スイッチがオン作動からオフ作動する構成によれば、装置を持ち上げる場合に、この主電源スイッチのオフ作動を作業者に了知可能になるし、上記各ユニットを確実に保護でき、また、メンテナンスをより一層安全に実施できる。
【発明の効果】
【００１３】
本発明によれば、画像形成装置の移動時に主電源スイッチをオフ作動するように作業者に知らしめ、装置の保護が達成可能な画像形成装置を提供することができる。
【発明を実施するための最良の形態】
【００１４】
以下、本発明の実施形態について図面を参照しながら説明する。
図１には、画像形成装置の一例である複合機１の構造が概略的に示されている。なお、図中に実線で示された矢印は用紙の搬送経路及びその搬送方向を示している。
【００１５】
この複合機１は筐体をなす装置本体２を備えている。本実施例では、胴内排紙型の装置本体２を有しており、この本体２の内側には排紙トレイ１５が形成されている。また、この本体２の上側には原稿送り装置８が搭載され、複合機１を複写機やファクシミリ、ネットワークスキャナとして利用するときには、この送り装置８から原稿を搬送し、その画像面は光学式の画像読取部９にて光学的に読み取られる。
【００１６】
画像読取部９の手前側には操作表示部２０が設置されている（図２）。この操作表示部２０には、ユーザの各種操作に供される複数の操作キーやスイッチが配置され、各種情報を表示する表示画面２１が設けられている。また、この表示画面２１の近傍には、複合機１を待機状態から起動状態に復帰させる機能を備えた副電源スイッチも設けられている。なお、当該図２以降では、画像読取部９等を図示する都合上、原稿送り装置８は省略されている。
【００１７】
装置本体２の下部には、フロントローディング式の用紙供給装置３が配置されている。詳しくは、この供給装置３には、装置本体２の高さ方向に沿って上下２段の給紙カセット４が備えられている。そして、各カセット４はいずれも本体２に対して着脱可能に構成され、図２に示された複合機１の正面側に向けて引き出されることにより、カセット４の内部が外部に対して開かれる一方、複合機１の背面側に向けて押し込まれることにより、その内部が閉じられる。
【００１８】
再び図１に戻り、各カセット４には画像形成前の各種の用紙Ｐが積層状態で収容されている。この用紙Ｐはカセット４から１枚ずつ分離され、左方向に向けて送出される。また、供給装置３の左方には用紙搬送部６が配置され、カセット４から送出された用紙Ｐは、装置本体２の左側面に沿って上方に向けて縦搬送される。
【００１９】
一方、本体２の右側面には開閉式の手差しトレイ５が備えられており、このトレイ５から送出された用紙も装置本体２の右側から左方向に向けて搬送され、その後、上方に向けて縦搬送される。
この本体２の内部には、用紙搬送方向で見て下流側にレジストローラ７、画像形成部１０及び転写部１１が順番に配置されている。画像形成部１０の右方には光学部１４が備えられており、この光学部１４からは画像形成部１０の感光体ドラムに向けてレーザ光が照射される。
【００２０】
また、用紙搬送方向で見て転写部１１の下流側には、ローラ対１９を有する定着部１２、及び排出分岐部１３が順番に配置され、片面印刷の場合には、定着部１２から排出された用紙は排出分岐部１３を経て排紙トレイ１５に排出される。一方、この排出分岐部１３と用紙搬送部６との間には両面印刷用のユニット１６が配置されており、このユニット１６では定着部１２から排出された用紙を用紙搬送部６に戻し、画像形成部１０に向けて再び送出する。
【００２１】
ここで、本実施例の装置本体２には、その両側面に取手部材２４が配設されている。
詳しくは、まず、図３に示された装置本体２の左側面には、２つの取手部材２４，２４が配設され、各取手部材２４は、用紙供給装置３の上方部分であって、複合機１の前後方向の適宜位置にそれぞれ設けられている。
【００２２】
次に、装置本体２の右側面にも、図４に示される如くの２つの取手部材２４，２４が配設されており、各取手部材２４は、用紙供給装置３と手差しトレイ５との間であって、複合機１の前後方向の適宜位置にそれぞれ設けられている。
そして、装置本体２の両側面に配設された各取手部材２４は、装置本体２から外部に向けて引き出し可能に構成されている。
【００２３】
例えば、装置本体２の右側面に位置する各取手部材２４は、図５に示されるように、水平方向に沿って延びる把持部２６と、把持部２６の先端に設けられた摘み２８とから構成されており、作業者が摘み２８を指で摘んで外部に向けて引き出すと、把持部２６が外部に引き起こされる。そして、作業者が把持部２６を手で握り、上方に向けて持ち上げることにより、複合機１が持ち上げ可能になる。
【００２４】
一方、図４や図５に示された装置本体２の右側面には、主電源スイッチ３０が設けられている。このスイッチ３０は、複合機１全体のオン作動及びオフ作動を担ういわゆるメインスイッチである。
そして、本実施例では、当該スイッチ３０の配置について電源オフ了知手段が施されている。より詳しくは、本実施例の主電源スイッチ３０は、同図の複合機１の背面側に位置する取手部材２４の近傍、より詳しくは、複合機１の前後方向で見て当該取手部材２４の後方に隣接して配置されている。
【００２５】
換言すれば、主電源スイッチ３０は、当該取手部材２４を掴もうとする作業者にとって最も視認し易い位置に設けられており、これにより、例えばサービスメンテナンス時にて複合機１を移動させるために、この複合機１を持ち上げる場合には、この作業者は、仮に、主電源スイッチ３０のオフ作動を未だ行っていない場合であったとしても、当該スイッチ３０のオフ作動を行う必要があることを思い出すことができる。
【００２６】
そして、この作業者は、その指で蓋部３２を上方に向けて開け、操作部３４を図６に示されたオン作動状態からオフ作動状態にすると、複合機１の主電源が切られる。
続いて、この複合機１は各取手部材２４を掴んで持ち上げられ、所定の位置に移動された後、画像形成部１０、転写部１１や定着部１２等の各ユニットを装置本体２から抜き取り、交換若しくは清掃等を行ってから装置本体２に差し込まれる。次いで、移動前の位置に再び移動させ、主電源スイッチ３０をオン作動すれば、サービスメンテナンスが終了する。
【００２７】
ところで、上述の電源オフ了知手段は、各取手部材２４を装置本体２から引き出すと、アラームが鳴動することにより、主電源スイッチ３０のオフ作動を作業者に了知させても良い。
詳しくは、この場合には、アラームを鳴動させるスイッチ回路が装置本体２内の所定位置に設けられており、取手部材２４を装置本体２から引き出すと、このスイッチ回路が閉成してアラームが鳴動するように構成されている。なお、取手部材２４を装置本体２から引き出すと、主電源スイッチ３０のオフ作動を促す旨が音声で出力されても良い。
【００２８】
一方、上述の電源オフ了知手段は、主電源スイッチ３０のオン作動時には、取手部材２４を装置本体２から引き出せないことにより、主電源スイッチ３０のオフ作動を作業者に了知させても良い。
つまり、この場合には、取手部材２４の水平移動をロックするスイッチ回路が装置本体２内の所定位置に設けられ、主電源スイッチ３０のオン作動時には、このスイッチ回路が閉成し、取手部材２４が装置本体２から引き出されないように構成される。
【００２９】
さらに、上述の電源オフ了知手段は、各取手部材２４を装置本体２から引き出すと、主電源スイッチ３０がオン作動からオフ作動することにより、この主電源スイッチ３０のオフ作動を作業者に了知させても良い。
すなわち、この場合には、主電源スイッチに接続するスイッチ回路が装置本体２内の所定位置に設けられており、取手部材２４を装置本体２から引き出すと、当該スイッチ回路が閉成して主電源スイッチ３０がオフ作動するように構成されている。
【００３０】
続いて、サービスメンテナンスの終了した複合機１では、カセット４やトレイ５から用紙が１枚ずつ分離して送出され、この用紙は用紙搬送部６を介してレジストローラ７に到達する。このローラ７は、用紙の斜め送りを矯正しつつ、画像形成部１０で形成されるトナー画像とのタイミングを計りながら、用紙を転写部１１へと送出する。
【００３１】
また、コントローラからの画像データに基づき、複合機１では光学部１４によるレーザ光の照射が制御される。これにより、画像形成部１０においてドラム上に原稿画像の静電潜像が作られ、続いてこの潜像からドラム上にトナー画像が形成され、用紙に転写される。
その後、用紙は未定着トナー画像を担持した状態で定着部１２に向けて送られ、トナー画像を定着する。次いで、定着部１２から排出された用紙は排出分岐部１３を通ってトレイ１５に排出される。
【００３２】
この片面印刷に対し、両面印刷を行う場合には、定着部１２から排出された用紙はトレイ１５に排出される直前にてユニット１６側に引き戻され、この用紙は用紙搬送部６に合流し、再び転写部１１に向けて送られる。そして、この場合には、用紙の未だ印刷がされていない面にトナー画像が転写される。
以上のように、本発明は、複合機１の移動時に主電源スイッチ３０をオフ作動するように、作業者に知らしめる点に着目したものである。
【００３３】
すなわち、本実施例によれば、電源オフ了知手段を備えており、作業者が複合機１を持ち上げる場合には、主電源スイッチ３０をオフ作動する旨を作業者に了知させるので、仮に、サービスメンテナンス時に複合機１を持ち上げて移動させる場合にも、その作業者に持ち上げ時点での主電源スイッチ３０のオフ作動が徹底可能になる。
【００３４】
この結果、主電源スイッチ３０がオン作動されたままの状態でのメンテナンス、詳しくは、画像形成部１０、転写部１１や定着部１２等の各ユニットの抜き取りを行うことが防止され、これら各ユニットの保護に寄与するし、メンテナンスもより安全に実施可能になる。
また、図６に示されるように、主電源スイッチ３０を取手部材２４の近傍に配置すれば、取手部材２４を把持する際に主電源スイッチ３０が視認されるので、複合機１を持ち上げる場合に、この主電源スイッチ３０のオフ作動を作業者に了知可能になる。
【００３５】
さらに、電源オフ了知手段として、まず、取手部材２４を装置本体２から引き出すに伴って、アラームが鳴動する構成によれば、複合機１を持ち上げる場合に、この主電源スイッチ３０のオフ作動を作業者に直接的に了知させることができる。
さらにまた、主電源スイッチ３０のオン作動時には、取手部材２４を装置本体２から引き出せない構成によっても、複合機１を持ち上げる場合に、この主電源スイッチ３０のオフ作動を作業者に直接的に了知させることができる。
【００３６】
また、取手部材２４を装置本体２から引き出すに伴って、主電源スイッチ３０がオン作動からオフ作動する構成によれば、複合機１を持ち上げる場合に、この主電源スイッチ３０のオフ作動を作業者に了知可能になるし、それにも拘わらず、万一、当該スイッチ３０のオフ作動をし忘れたとしても、必ずオフ作動されることから、上記各ユニットを確実に保護でき、しかも、メンテナンスをより一層安全に実施できる。
【００３７】
本発明は、上記実施例に限定されず、特許請求の範囲を逸脱しない範囲で種々の変更を行うことができる。
例えば、上記実施例では画像形成装置として複合機に具現化した例を示しているが、本発明は取手部材を用いて持ち上げ可能に構成される限り、複写機やネットワーク用の多機能周辺機器（ＭＦＰ）の他、プリンタ、ファクシミリやスキャナ等自体にも当然に適用可能である。
【図面の簡単な説明】
【００３８】
【図１】本実施例の複合機の概略構成図である。
【図２】図１の複合機の正面図である。
【図３】図１の複合機の左側面図である。
【図４】図１の複合機を右側から見た斜視図である。
【図５】図１の複合機を右側から見た斜視図であり、取手部材を引き出した状態を示す図である。
【図６】図５の要部拡大図である。
【符号の説明】
【００３９】
１  複合機（画像形成装置）
２  装置本体
２４  取手部材
３０  主電源スイッチ
【図１】
2009058668.tif 000003
【図２】
2009058668.tif 000004
【図３】
2009058668.tif 000005
【図４】
2009058668.tif 000006
【図５】
2009058668.tif 000007
【図６】
2009058668.tif 000008